(57)【要約】    【課題】コンテンツの利用やサービスの享受に必要なライセンス情報を当該コンテンツやサービスの提供者から正当な利用者へ安全に提供でき、万一、他の利用者に複製された時でも利用できないようにすること。    【解決手段】利用者及び提供者によってそれぞれ使用されるライセンス取得装置３及びライセンス提供装置４とともに、ＩＰアドレスを電話番号に変換する機能を備えたライセンス中継・管理装置５を電話網２に接続しておき、ライセンス提供装置４が、ライセンス取得装置３から受信したライセンス情報の要求文に従って作成したライセンス情報を送信しようとする場合、ライセンス中継・管理装置５に対してライセンス取得装置３のＩＰアドレスを伴って発呼することにより、当該ライセンス中継・管理装置５を中継したライセンス取得装置３との電話回線接続を確立した上で行う。【選択図】図１
2005182489.tif 000002
【特許請求の範囲】
【請求項１】
コンテンツの利用やサービスの享受に必要なライセンス情報を当該コンテンツやサービスの提供者から利用者へ提供するライセンス流通装置であって、
所定の識別子により通信相手を特定して情報を伝達可能な一のネットワークと、電話網と、一のネットワーク及び電話網に接続され、利用者によって使用される少なくとも一つのライセンス取得装置と、一のネットワーク及び電話網に接続され、提供者によって使用される少なくとも一つのライセンス提供装置と、電話網に接続されたライセンス中継・管理装置とからなり、
ライセンス取得装置は、
ライセンス情報を取得するための要求文を生成する要求文生成部と、
前記要求文をライセンス提供装置の一のネットワークにおける識別子を指定して該一のネットワークへ送信する送信部と、
電話網を介して送られてくるライセンス情報を受信する受信部と、
受信したライセンス情報を記憶するライセンス記憶部と、
ライセンス記憶部に記憶されたライセンス情報を用いたコンテンツの利用やサービスの享受を行うライセンス利用部とを少なくとも備え、
ライセンス提供装置は、
一のネットワークを介して送られてくる要求文を受信する受信部と、
受信した要求文を元に当該要求文を送信したライセンス取得装置に対応するライセンス情報を生成するライセンス生成部と、
ライセンス中継・管理装置の電話番号を指定して電話網に発呼し、ライセンス取得装置の一のネットワークにおける識別子をライセンス中継・管理装置へ送信し、ライセンス中継・管理装置を介してライセンス取得装置との接続完了後、前記生成したライセンス情報をライセンス取得装置へ送信する送信部とを少なくとも備え、
ライセンス中継・管理装置は、
ライセンス提供装置からの発呼を受信し、電話網を介して送られてくるライセンス取得装置の一のネットワークにおける識別子を受信する受信部と、
一のネットワークにおける識別子と電話番号との対応表を蓄積する識別子・電話番号対応表蓄積部と、
識別子・電話番号対応表蓄積部を用いてライセンス取得装置の一のネットワークにおける識別子を電話網における電話番号に変換する識別子・電話番号変換部と、
ライセンス取得装置の電話番号を指定して電話網に発呼してライセンス取得装置とライセンス提供装置とを回線接続する送信部とを少なくとも備えた
ことを特徴とするライセンス流通装置。
【請求項２】
請求項１記載のライセンス流通装置において、
ライセンス中継・管理装置は、
ライセンス取得装置の一のネットワークにおける識別子を調べ、該ライセンス取得装置の電話番号と対応付けて識別子・電話番号対応表蓄積部の対応表を更新する識別子収集部を備えた
ことを特徴とするライセンス流通装置。
【請求項３】
請求項１または２記載のライセンス流通装置において、
ライセンス中継・管理装置は、
ライセンス情報中にライセンス取得装置の電話番号を埋め込むライセンス情報修正部を備えた
ことを特徴とするライセンス流通装置。
【請求項４】
請求項１または２記載のライセンス流通装置において、
ライセンス中継・管理装置は、
ライセンス情報中に含まれるライセンス提供装置の電話番号をライセンス取得装置の電話番号に書き替えるライセンス情報修正部を備えた
ことを特徴とするライセンス流通装置。
【請求項５】
請求項３または４記載のライセンス流通装置において、
ライセンス取得装置のライセンス利用部は、
ライセンス記憶部に記憶されたライセンス情報中に電話番号が含まれる場合、該ライセンス情報中の電話番号と当該ライセンス取得装置の電話番号とを比較し、一致した時のみコンテンツの利用やサービスの享受を行う
ことを特徴とするライセンス流通装置。
【請求項６】
コンテンツの利用やサービスの享受に必要なライセンス情報を当該コンテンツやサービスの提供者から利用者へ提供するライセンス流通装置であって、
所定の識別子により通信相手を特定して情報を伝達可能な一のネットワークと、電話網と、一のネットワーク及び電話網に接続され、利用者によって使用される少なくとも一つのライセンス取得装置と、一のネットワーク及び電話網に接続され、提供者によって使用される少なくとも一つのライセンス提供装置と、電話網に接続されたライセンス中継・管理装置とからなり、
ライセンス取得装置は、
ライセンス情報を取得するための要求文を生成する要求文生成部と、
前記要求文をライセンス提供装置の一のネットワークにおける識別子を指定して該一のネットワークへ送信する送信部と、
ライセンス中継・管理装置の電話番号を指定し、発信者番号を伴って電話網に発呼し、ライセンス中継・管理装置からライセンス情報を取得する取得部と、
取得したライセンス情報を記憶するライセンス記憶部と、
ライセンス記憶部に記憶されたライセンス情報を用いたコンテンツの利用やサービスの享受を行うライセンス利用部とを少なくとも備え、
ライセンス提供装置は、
一のネットワークを介して送られてくる要求文を受信する受信部と、
受信した要求文を元に当該要求文を送信したライセンス取得装置に対応するライセンス情報を生成するライセンス生成部と、
ライセンス中継・管理装置の電話番号を指定して電話網に発呼し、前記生成したライセンス情報を、ライセンス取得装置の一のネットワークにおける識別子とともにライセンス中継・管理装置へ送信する提供部とを少なくとも備え、
ライセンス中継・管理装置は、
ディジタルデータによるライセンス情報をサービス利用者の利用者情報に対応させて蓄積するライセンス蓄積部と、
音声信号をライセンス蓄積部に蓄積可能なディジタルデータに変換し、ライセンス蓄積部に蓄積されたディジタルデータを音声信号に変換するデータ管理部と、
一のネットワークにおける識別子及び電話番号を少なくとも含むサービス利用者の利用者情報を管理する利用者管理部と、
ライセンス取得装置及びライセンス提供装置からの発呼を受信し、ライセンス提供処理かライセンス取得処理かを判定し、ライセンス提供処理であれば、利用者管理部を用いてライセンス取得装置の一のネットワークにおける識別子からサービス利用者の利用者情報を取得させ、データ管理部を用いて音声信号によるライセンス情報をライセンス蓄積部に蓄積させ、また、ライセンス取得処理であれば、利用者管理部を用いてライセンス取得装置の発信者番号からサービス利用者の利用者情報を取得させ、データ管理部を用いてライセンス蓄積部からライセンス情報の音声信号を取り出して送信する制御部とを少なくとも備えた
ことを特徴とするライセンス流通装置。
【請求項７】
請求項６記載のライセンス流通装置において、
ライセンス中継・管理装置は、
ライセンス情報中にライセンス取得装置の電話番号を埋め込む機能を有する
ことを特徴とするライセンス流通装置。
【請求項８】
請求項６記載のライセンス流通装置において、
ライセンス中継・管理装置は、
ライセンス情報中に含まれるライセンス提供装置の電話番号をライセンス取得装置の電話番号に書き替える機能を有する
ことを特徴とするライセンス流通装置。
【請求項９】
請求項７または８記載のライセンス流通装置において、
ライセンス取得装置のライセンス利用部は、
ライセンス記憶部に記憶されたライセンス情報中に電話番号が含まれる場合、該ライセンス情報中の電話番号と当該ライセンス取得装置の電話番号とを比較し、一致した時のみコンテンツの利用やサービスの享受を行う
ことを特徴とするライセンス流通装置。
【請求項１０】
コンテンツの利用やサービスの享受に必要なライセンス情報を当該コンテンツやサービスの提供者から利用者へ提供するライセンス流通方法であって、
所定の識別子により通信相手を特定して情報を伝達可能な一のネットワークと、電話網と、一のネットワーク及び電話網に接続され、利用者によって使用される少なくとも一つのライセンス取得装置と、一のネットワーク及び電話網に接続され、提供者によって使用される少なくとも一つのライセンス提供装置と、電話網に接続されたライセンス中継・管理装置とを用い、
ライセンス取得装置が、ライセンス情報を取得するための要求文を生成し、該要求文をライセンス提供装置の一のネットワークにおける識別子を指定して該一のネットワークへ送信し、
ライセンス提供装置が、一のネットワークを介して送られてくる要求文を受信し、該受信した要求文を元に当該要求文を送信したライセンス取得装置に対応するライセンス情報を生成し、ライセンス中継・管理装置の電話番号を指定して電話網に発呼し、ライセンス取得装置の一のネットワークにおける識別子をライセンス中継・管理装置へ送信し、
ライセンス中継・管理装置が、電話網を介して送られてくるライセンス取得装置の一のネットワークにおける識別子を受信し、該受信したライセンス取得装置の一のネットワークにおける識別子を電話網における電話番号に変換し、ライセンス取得装置の電話番号を指定して電話網に発呼してライセンス取得装置とライセンス提供装置とを回線接続し、
ライセンス提供装置が、ライセンス情報を電話網を介してライセンス取得装置へ送信し、
ライセンス取得装置が、電話網を介して送られてくるライセンス情報を受信し、該受信したライセンス情報を記憶し、当該ライセンス情報を用いたコンテンツの利用やサービスの享受を行う
ことを特徴とするライセンス流通方法。
【請求項１１】
コンテンツの利用やサービスの享受に必要なライセンス情報を当該コンテンツやサービスの提供者から利用者へ提供するライセンス流通方法であって、
所定の識別子により通信相手を特定して情報を伝達可能な一のネットワークと、電話網と、一のネットワーク及び電話網に接続され、利用者によって使用される少なくとも一つのライセンス取得装置と、一のネットワーク及び電話網に接続され、提供者によって使用される少なくとも一つのライセンス提供装置と、電話網に接続されたライセンス中継・管理装置とを用い、
ライセンス取得装置が、ライセンス情報を取得するための要求文を生成し、該要求文をライセンス提供装置の一のネットワークにおける識別子を指定して該一のネットワークへ送信し、
ライセンス提供装置が、一のネットワークを介して送られてくる要求文を受信し、該受信した要求文を元に当該要求文を送信したライセンス取得装置に対応するライセンス情報を生成し、ライセンス中継・管理装置の電話番号を指定して電話網に発呼し、前記生成したライセンス情報を、ライセンス取得装置の一のネットワークにおける識別子とともにライセンス中継・管理装置へ送信し、
ライセンス中継・管理装置が、電話網を介して送られてくる音声信号のライセンス情報を、ライセンス取得装置の一のネットワークにおける識別子とともに受信し、該ライセンス情報をディジタルデータに変換してライセンス取得装置の一のネットワークにおける識別子に対応する利用者情報とともに蓄積し、
ライセンス取得装置が、ライセンス中継・管理装置の電話番号を指定し、発信者番号を伴って電話網に発呼し、
ライセンス中継・管理装置が、電話網を介して送られてくるライセンス取得装置の発信者番号を当該ライセンス取得装置の利用者情報に変換し、該利用者情報に対応して蓄積されたライセンス情報のディジタルデータを音声信号に変換し、電話網を介してライセンス取得装置へ送信し、
ライセンス取得装置が、電話網を介して送られてくるライセンス情報を受信し、該受信したライセンス情報を記憶し、当該ライセンス情報を用いたコンテンツの利用やサービスの享受を行う
ことを特徴とするライセンス流通方法。
【請求項１２】
請求項１０または１１記載のライセンス流通方法において、
ライセンス取得装置は、記憶したライセンス情報中に電話番号が含まれる場合、該ライセンス情報中の電話番号と当該ライセンス取得装置の電話番号とを比較し、一致した時のみコンテンツの利用やサービスの享受を行う
ことを特徴とするライセンス流通方法。
【請求項１３】
所定の識別子により通信相手を特定して情報を伝達可能な一のネットワーク及び電話網に接続され、コンテンツやサービスの利用者によって使用される少なくとも一つのライセンス取得装置と、前記一のネットワーク及び電話網に接続され、コンテンツやサービスの提供者によって使用される少なくとも一つのライセンス提供装置と、電話網に接続されたライセンス中継・管理装置とからなり、コンテンツの利用やサービスの享受に必要なライセンス情報を提供者から利用者へ提供するライセンス流通装置を実現するライセンス流通プログラムであって、
コンピュータを、
ライセンス情報を取得するための要求文を生成する要求文生成部と、
前記要求文をライセンス提供装置の一のネットワークにおける識別子を指定して該一のネットワークへ送信する送信部と、
電話網を介して送られてくるライセンス情報を受信する受信部と、
受信したライセンス情報を記憶するライセンス記憶部と、
ライセンス記憶部に記憶されたライセンス情報を用いたコンテンツの利用やサービスの享受を行うライセンス利用部として機能させるための第１のプログラムと、
コンピュータを、
一のネットワークを介して送られてくる要求文を受信する受信部と、
受信した要求文を元に当該要求文を送信したライセンス取得装置に対応するライセンス情報を生成するライセンス生成部と、
ライセンス中継・管理装置の電話番号を指定して電話網に発呼し、ライセンス取得装置の一のネットワークにおける識別子をライセンス中継・管理装置へ送信し、ライセンス中継・管理装置を介してライセンス取得装置との接続完了後、前記生成したライセンス情報をライセンス取得装置へ送信する送信部として機能させるための第２のプログラムと、
コンピュータを、
ライセンス提供装置からの発呼を受信し、電話網を介して送られてくるライセンス取得装置の一のネットワークにおける識別子を受信する受信部と、
一のネットワークにおける識別子と電話番号との対応表を蓄積する識別子・電話番号対応表蓄積部と、
識別子・電話番号対応表蓄積部を用いてライセンス取得装置の一のネットワークにおける識別子を電話網における電話番号に変換する識別子・電話番号変換部と、
ライセンス取得装置の電話番号を指定して電話網に発呼してライセンス取得装置とライセンス提供装置とを回線接続する送信部として機能させるための第３のプログラムとからなる
ことを特徴とするライセンス流通プログラム。
【請求項１４】
所定の識別子により通信相手を特定して情報を伝達可能な一のネットワーク及び電話網に接続され、コンテンツやサービスの利用者によって使用される少なくとも一つのライセンス取得装置と、前記一のネットワーク及び電話網に接続され、コンテンツやサービスの提供者によって使用される少なくとも一つのライセンス提供装置と、電話網に接続されたライセンス中継・管理装置とからなり、コンテンツの利用やサービスの享受に必要なライセンス情報を提供者から利用者へ提供するライセンス流通装置を実現するライセンス流通プログラムであって、
コンピュータを、
ライセンス情報を取得するための要求文を生成する要求文生成部と、
前記要求文をライセンス提供装置の一のネットワークにおける識別子を指定して該一のネットワークへ送信する送信部と、
ライセンス中継・管理装置の電話番号を指定し、発信者番号を伴って電話網に発呼し、ライセンス中継・管理装置からライセンス情報を取得する取得部と、
取得したライセンス情報を記憶するライセンス記憶部と、
ライセンス記憶部に記憶されたライセンス情報を用いたコンテンツの利用やサービスの享受を行うライセンス利用部として機能させるための第１のプログラムと、
コンピュータを、
一のネットワークを介して送られてくる要求文を受信する受信部と、
受信した要求文を元に当該要求文を送信したライセンス取得装置に対応するライセンス情報を生成するライセンス生成部と、
ライセンス中継・管理装置の電話番号を指定して電話網に発呼し、前記生成したライセンス情報を、ライセンス取得装置の一のネットワークにおける識別子とともにライセンス中継・管理装置へ送信する提供部として機能させるための第２のプログラムと、
コンピュータを、
ディジタルデータによるライセンス情報をサービス利用者の利用者情報に対応させて蓄積するライセンス蓄積部と、
音声信号をライセンス蓄積部に蓄積可能なディジタルデータに変換し、ライセンス蓄積部に蓄積されたディジタルデータを音声信号に変換するデータ管理部と、
一のネットワークにおける識別子及び電話番号を少なくとも含むサービス利用者の利用者情報を管理する利用者管理部と、
ライセンス取得装置及びライセンス提供装置からの発呼を受信し、ライセンス提供処理かライセンス取得処理かを判定し、ライセンス提供処理であれば、利用者管理部を用いてライセンス取得装置の一のネットワークにおける識別子からサービス利用者の利用者情報を取得させ、データ管理部を用いて音声信号によるライセンス情報をライセンス蓄積部に蓄積させ、また、ライセンス取得処理であれば、利用者管理部を用いてライセンス取得装置の発信者番号からサービス利用者の利用者情報を取得させ、データ管理部を用いてライセンス蓄積部からライセンス情報の音声信号を取り出して送信する制御部として機能させるための第３のプログラムとからなる
ことを特徴とするライセンス流通プログラム。
【発明の詳細な説明】
【技術分野】
【０００１】
本発明は、コンテンツの利用やサービスの享受に必要なライセンス情報を、当該コンテンツやサービスの提供者から利用者へ提供する技術に関する。
【背景技術】
【０００２】
インターネット（ＩＰ網）の普及に伴い、違法に複製されたコンテンツが氾濫し始めている。ＤＲＭ（Ｄｉｇｉｔａｌ  Ｒｉｇｈｔｓ  Ｍａｎａｇｅｍｅｎｔ）技術を用いることにより、この違法複製を防ぐ試みが行われているが、現状のＤＲＭでは、ライセンス付与のみの場合でもＩＰ網を使っている。また、ＤＲＭは、Ｍｉｃｒｏｓｏｆｔ社のＷｉｎｄｏｗｓ  Ｓｅｒｖｅｒ  ２００３（登録商標）でも見られるように、コンテンツ自体のデータ（コンテンツデータ）とライセンス部分のデータ（ライセンス情報）を分離して管理する傾向がある。一般に超流通と呼ばれるような、コンテンツデータをＤＲＭにより暗号化された形で自由に配布し、ライセンス情報のみを後から入手し、正しいライセンス情報であればコンテンツを再生するという環境が整いつつある（非特許文献１、２参照）。
【非特許文献１】”ＤＲＭのアーキテクチャ”、Microsoft Corporation 、［平成１５年１２月３日検索］、インターネット＜http://www.microsoft.com/japan/windows/windowsmedia/wm7/drm/architecture.aspx＞
【非特許文献２】ＮＴＴ技術ジャーナル、第１４巻、第１１号、平成１４年１１月１日発行、Ｐ．６２〜６３
【発明の開示】
【発明が解決しようとする課題】
【０００３】
しかし、ＩＰ網におけるセキュリティ上の不安感から、ライセンス情報を流通させることを躊躇するコンテンツ提供者やコンテンツ利用者が出てくる可能性がある。なぜなら、ＩＰ網の識別子であるＩＰアドレスは属地性がないため、データを場所に依存せず入手・提供できるという利点がある反面、確実に渡すべき人に渡るという保障がなく、常に詐称の問題にさらされているためである。また、コンテンツ利用者も、詐称されることによって、自分が利用していないのにあたかも利用したかのように自分の名が勝手に使われてしまうことを恐れるためである。これでは、コンテンツ提供者はＩＰ網上でのコンテンツ流通を促進しなくなってしまう可能性があり、コンテンツ利用者もＩＰ網上でのコンテンツ享受を控えるようになる可能性がある。
【０００４】
また、ＤＲＭを用いてコンテンツデータとライセンス情報を単に分離しただけでは、例えコンテンツデータが復号不可能な形式で暗号化されていても、ＩＰ網上を流れるライセンス情報を横取りし、あるいはコピーしてしまえると、正当な利用者以外の不正利用者も視聴できてしまう可能性がある。
【０００５】
本発明の目的は、ＤＲＭ技術を用いてコンテンツデータとライセンス情報が切り離された状態において、コンテンツの提供者がコンテンツの利用者に安全にライセンスを提供できる、つまり、ライセンス情報の提供先を物理的に特定できるようにすることと、万一、ライセンス情報が複製されてしまった時でも、他の利用者の装置では利用できないようにすることにある。
【課題を解決するための手段】
【０００６】
本発明では、前記目的を達成するため、コンテンツデータとライセンス情報が分離されて流通する状況下で、ライセンス情報を電話網を用いて提供する。電話網の識別子である電話番号は個々の電話回線に対応付けられているため、物理的な属地性が存在する。つまり、ある特定の場所に存在する正当な利用者にのみライセンス情報を提供することができる。また、ライセンス情報と電話番号を関連付けることにより、他の電話番号に関連付けられた場所に存在する装置、つまり正当な利用者以外の者の装置ではコンテンツを利用不可とすることができる。
【発明の効果】
【０００７】
本発明によれば、物理的な属地性を有する電話網を用いてライセンス情報を提供することにより、特定の場所に存在する正当な利用者にのみライセンス情報を提供することができる。また、ライセンス情報と電話番号を関連付けることにより、正当な利用者以外の者の装置ではコンテンツを利用不可とすることができる。
【発明を実施するための最良の形態】
【０００８】
利用者によって使用されるライセンス取得装置、並びに提供者によって使用されるライセンス提供装置はＩＰ網及び電話網に接続され、ライセンス取得装置は必要なライセンス情報を取得するため、ＩＰ網を介してライセンス情報の取得の要求をライセンス提供装置へ送る。ライセンス提供装置は受け取った要求を元にライセンス情報を生成し、これを電話網を用い、かつライセンス提供装置から指定されたライセンス取得装置のＩＰアドレスを電話番号に変換し、ライセンス提供装置とライセンス取得装置との間で電話回線によるコネクションを確立する機能、あるいはライセンス情報をライセンス取得装置の電話番号に対応させ、当該ライセンス取得装置からのみ取り出し可能に蓄積する機能を有するライセンス中継・管理装置を介した上で当該ライセンス取得装置へ提供する。
【実施例１】
【０００９】
図１は本発明のライセンス流通装置の第１の実施例を示すもので、図中、１はＩＰ網、２は電話網、３はライセンス取得装置、４はライセンス提供装置、５はライセンス中継・管理装置である。
【００１０】
ここで、ＩＰ網１はＩＰアドレスを識別子として用いて情報を伝送するネットワークであり、電話網２は電話番号を識別子として用いてコネクションを確立するネットワークである。また、ライセンス取得装置３はＩＰ網１及び電話網２に接続され、コンテンツまたはサービスの利用者（ユーザ）によって使用され、また、ライセンス提供装置４はＩＰ網１及び電話網２に接続され、コンテンツまたはサービスの提供者によって使用される。また、ライセンス中継・管理装置５は電話網２に接続され、ライセンス取得装置３及びライセンス提供装置４間でライセンス情報を仲介する。
【００１１】
ライセンス取得装置３は、要求文生成部３１、送信部３２、受信部３３、ライセンス記憶部３４及びライセンス利用部３５からなっている。
【００１２】
要求文生成部３１は、コンテンツの利用やサービスの享受に必要なライセンス（ライセンス情報）を取得するための要求文を生成する。送信部３２は、前記要求文をライセンス提供装置４のＩＰアドレスを指定してＩＰ網１へ送信する。受信部３３は、電話網２を介して送られてくるライセンス情報を受信する。ライセンス記憶部３４は、受信したライセンス情報を記憶する。ライセンス利用部３５は、ライセンス記憶部３４に記憶されたライセンス情報を用いたコンテンツの利用やサービスの享受を行う。なお、ライセンス利用部３５は、ライセンス記憶部３４に記憶されたライセンス情報中に電話番号が含まれる場合、該ライセンス情報中の電話番号と当該ライセンス取得装置の電話番号とを比較し、一致した時のみコンテンツの利用やサービスの享受を行うようにしても良い。
【００１３】
なお、要求文送信時の通信アプリケーションは、電子メール（ＳＭＴＰ）を用いても良いし、ＷＥＢ（ＨＴＴＰ）を用いても良い（但し、これらに限定されるものではない。）。また、コンテンツデータ自体はＤＲＭで保護されているものとし、コンテンツデータだけを取り出すことはできないものとする。このＤＲＭで保護されたコンテンツデータは、Ｐｅｅｒ−ｔｏ−Ｐｅｅｒファイル共有ソフトウェアで入手しても良く、また、コンテンツ提供者から配信してもらっても良く、さらにまた、ＣＤ−Ｒ等のメディアに記録されてコンテンツ提供者から配布されるものであっても良い。
【００１４】
ライセンス提供装置４は、受信部４１、ライセンス生成部４２及び送信部４３からなっている。
【００１５】
受信部４１は、ＩＰ網１を介して送られてくる要求文を受信する。ライセンス生成部４２は、受信した要求文を元に当該要求文を送信したライセンス取得装置に対応するライセンス情報を生成する。送信部４３は、ライセンス中継・管理装置５の電話番号を指定して電話網２に発呼し、ライセンス取得装置の一のネットワークにおける識別子をライセンス中継・管理装置５へ送信し、ライセンス中継・管理装置５を介してライセンス取得装置３との回線接続完了後、前記生成したライセンス情報をライセンス取得装置３へ送信する。
【００１６】
図２は本実施例におけるライセンス中継・管理装置の詳細構成を示すもので、該ライセンス中継・管理装置５は、受信部５１、ＩＰアドレス・電話番号対応表蓄積部５２、ＩＰアドレス・電話番号変換部５３、送信部５４、ＩＰアドレス収集部５５及びライセンス情報修正部５６からなっている（なお、図２ではライセンス取得装置３とライセンス提供装置４との間のＩＰ網に関する接続部分は省略している。）。
【００１７】
受信部５１は、ライセンス提供装置４からの発呼を受信し、電話網（電話回線交換装置）２を介して送られてくるライセンス取得装置のＩＰアドレスを受信する。ＩＰアドレス・電話番号対応表蓄積部５２は、ＩＰアドレスと電話番号との対応関係を表すＩＰアドレス・電話番号対応表を蓄積する。図３にＩＰアドレス・電話番号対応表の一例を示す。
【００１８】
ＩＰアドレス・電話番号変換部５３は、受信部５１で取得したライセンス取得装置のＩＰアドレスをＩＰアドレス・電話番号対応表蓄積部５２に蓄積されたＩＰアドレス・電話番号対応表を用いて電話番号に変換する。送信部５４は、ライセンス取得装置３の電話番号を指定して電話網に発呼してライセンス取得装置３とライセンス提供装置４とを回線接続する。
【００１９】
ＩＰアドレス収集部５５は、ＩＳＰ（Ｉｎｔｅｒｎｅｔ  Ｓｅｒｖｉｃｅ  Ｐｒｏｖｉｄｅｒ）がライセンス取得装置に払い出しているＩＰアドレスを調べ、該ライセンス取得装置の電話番号と対応付けてＩＰアドレス・電話番号対応表蓄積部５２に蓄積されたＩＰアドレス・電話番号対応表を更新する。
【００２０】
なお、電話網（電話回線交換装置）２を所有するキャリアとＩＳＰとが同一である場合は、前記対応関係を知ることは容易であるが、そうでない場合、ライセンス取得装置３自身がライセンス中継・管理装置５へ発呼し、ＩＳＰから割り当てられたＩＰアドレスを登録するようにしても良い。あるいは、ライセンス取得装置３のユーザがＩＳＰに対し、自身に割り当てられたＩＰアドレスを電話番号とともにライセンス中継・管理装置５に登録するよう依頼し、ＩＳＰがこれを行うようにしても良い。
【００２１】
ライセンス情報修正部５６は、ライセンス情報が複製されてしまった時でも、他の利用者の装置では利用できないようにする必要がある場合、ライセンス情報中にＩＰアドレス・電話番号変換部５３で変換したライセンス取得装置３の電話番号を埋め込む。また、ライセンス情報修正部５６は、ライセンス情報中にライセンス提供装置４の電話番号が含まれている場合は、当該ライセンス提供装置４の電話番号情報をライセンス取得装置３の電話番号に書き替える。
【００２２】
図４は本実施例における動作を示すフローチャートであり、以下、動作について詳細に説明する。
【００２３】
まず、ライセンス取得装置３は、要求文作成部３１においてライセンス情報を取得するための要求文を作成する（ステップｓ１１）。次に、ライセンス取得装置３は、送信部３２において前記要求文をライセンス提供装置４のＩＰアドレスを指定してＩＰ網１へ送信する（ステップｓ１２）。
【００２４】
ライセンス提供装置４は、受信部４１においてＩＰ網１を介して前記要求文を受信し（ステップｓ１３）、当該要求文が妥当なものであればライセンス作成部４２においてライセンス情報を作成する（ステップｓ１４）。次に、ライセンス提供装置４は、送信部４３においてライセンス中継・管理装置５に関連付けられた特番（ライセンス中継・管理装置５の電話番号）を指定して電話網２へ発呼し、ライセンス取得装置３のＩＰアドレスを送信する（ステップｓ１５）。
【００２５】
より具体的には、前記特番に発呼し、サブデータとして続けてＩＰアドレスを発呼しても良いし、特番を発呼し、一旦接続した後、通話データとしてＩＰアドレスを送信し、保留した状態でライセンス取得装置と回線接続しても良い。但し、接続方法はこれらに限定されるものではない。
【００２６】
なお、ライセンス取得装置３のＩＰアドレスは、ライセンス取得装置３が、前記要求文に含めて又は前記要求文とともに送信したものであっても良く、あるいは要求文を受け取ったライセンス提供装置４が検索し、取得したものであっても良い。
【００２７】
ライセンス中継・管理装置５は、受信部５１において前述したライセンス提供装置４の発呼を受信し、ライセンス取得装置３のＩＰアドレスを受信する（ステップｓ１６）と、これをライセンス取得装置３の電話番号に変換する、即ちＩＰアドレス・電話番号変換部５３においてＩＰアドレス・電話番号対応表蓄積部５２に蓄積されているＩＰアドレス・電話番号対応表を前記ＩＰアドレスで検索することによってライセンス取得装置３の電話番号を取得する（ステップｓ１７）。
【００２８】
次に、ライセンス中継・管理装置５は、送信部５４において前記ライセンス取得装置３の電話番号を指定して電話網２へ発呼し（ステップｓ１８）、これがライセンス取得装置３で受信されて（ステップｓ１９）、ライセンス取得装置３とライセンス提供装置４との間の電話回線によるコネクション（回線接続）が確立される。
【００２９】
回線接続後、ライセンス提供装置４は、送信部４１においてライセンス情報を電話網２を介してライセンス取得装置３へ送信し（ステップｓ２０）、ライセンス取得装置３は受信部３３においてこれを受信し（ステップｓ２１）、ライセンス記憶部３４に記憶する（ステップｓ２２）。
【００３０】
その後、ライセンス取得装置３は、ライセンス利用部３５においてライセンス記憶部３４に記憶されたライセンス情報を用いたコンテンツの利用やサービスの享受を行う。
【００３１】
なお、前述した如く、ライセンス情報中にライセンス取得装置３の電話番号を埋め込む必要がある場合は、ライセンス情報を中継する際、ライセンス中継・管理装置５のライセンス情報修正部５６において、ＩＰアドレス・電話番号変換部５３で取得したライセンス取得装置３の電話番号をライセンス情報に埋め込んだ後、ライセンス取得装置３に送信すれば良い。また、同様に、ライセンス情報中にライセンス提供装置４の電話番号が含まれている場合は、ライセンス情報を中継する際、ライセンス中継・管理装置５のライセンス情報修正部５６において、ＩＰアドレス・電話番号変換部５３で取得したライセンス取得装置３の電話番号に書き替えた後、ライセンス取得装置３に送信すれば良い。また、ライセンス情報中にライセンス取得装置３の電話番号を埋め込まれている場合は、ライセンス取得装置３のライセンス利用部３５においてライセンス情報中の電話番号と当該ライセンス取得装置の電話番号とを比較し、一致した時のみコンテンツの利用やサービスの享受を行うようにしても良い。
【実施例２】
【００３２】
図５は本発明のライセンス流通装置の第２の実施例、ここではライセンス情報を一旦蓄積し、任意の時点でライセンス取得装置から取り出し可能としたライセンス中継・管理装置を用いた例を示す。即ち、図中、３ｂはライセンス取得装置、４ｂはライセンス提供装置、６はライセンス中継・管理装置である。
【００３３】
ライセンス取得装置３ｂは、第１の実施例の場合と同様な要求文生成部３１、送信部３２、ライセンス記憶部３４及びライセンス利用部３５とともに、取得部３６からなっている。取得部３６は、ライセンス中継・管理装置６の電話番号を指定し、発信者番号を伴って電話網２に発呼し、ライセンス中継・管理装置６からライセンス情報を取得する。
【００３４】
ライセンス提供装置４ｂは、第１の実施例の場合と同様な受信部４１及びライセンス生成部４２とともに、提供部４４からなっている。提供部４４は、ライセンス中継・管理装置６の電話番号を指定して電話網２に発呼し、ライセンス生成部４２で生成したライセンス情報を、ライセンス取得装置３ｂのＩＰアドレスとともにライセンス中継・管理装置６へ送信する。
【００３５】
図６は本実施例におけるライセンス中継・管理装置の詳細構成を示すもので、ライセンス中継・管理装置６は、ライセンス蓄積部６１、データ管理部６２、利用者管理部６３及び制御部６４からなっている（なお、図６ではライセンス取得装置３ｂとライセンス提供装置４ｂとの間のＩＰ網に関する接続部分は省略している。）。
【００３６】
ライセンス蓄積部６１は、ディジタルデータによるライセンス情報をサービス利用者の利用者情報に対応させて蓄積する。
【００３７】
データ管理部６２と、音声信号をライセンス蓄積部６１に蓄積可能なディジタルデータに変換し、ライセンス蓄積部６１に蓄積されたディジタルデータを音声信号に変換する。
【００３８】
利用者管理部６３は、名前、住所、ＩＰアドレス及び電話番号を含むサービス利用者の利用者情報を管理する。
【００３９】
制御部６４は、ライセンス取得装置３ｂ及びライセンス提供装置４ｂからの発呼を受信し、ライセンス提供処理かライセンス取得処理かを判定し、ライセンス提供処理であれば、利用者管理部６３を用いてライセンス取得装置３ｂのＩＰアドレスからサービス利用者の利用者情報を取得させ、データ管理部６２を用いて音声信号によるライセンス情報をライセンス蓄積部６１に蓄積させ、また、ライセンス取得処理であれば、利用者管理部６３を用いてライセンス取得装置３ｂの発信者番号からサービス利用者の利用者情報を取得させ、データ管理部６２を用いてライセンス蓄積部６１からライセンス情報の音声信号を取り出して送信する。
【００４０】
なお、発呼がライセンス提供処理かライセンス取得処理かの判定は、本実施例ではＩＰアドレスを伴う場合をライセンス提供処理と判定し、ＩＰアドレスを伴わない場合をライセンス取得処理と判定するものとするが、ライセンス中継・管理装置６に対する特番として提供処理と取得処理とで別々のものを用いるようにしても良く、また、回線接続後に処理毎に予め決められた要求信号を送るようにしても良い。
【００４１】
図７、図８は本実施例における動作を示すフローチャートであり、以下、動作について詳細に説明する。
【００４２】
ライセンス取得装置における要求文の作成、送信、ライセンス提供装置における要求文の受信、ライセンス情報の作成までのステップｓ１１〜ｓ１４は、第１の実施例の場合と同様である。
【００４３】
ライセンス情報を作成したライセンス提供装置４ｂは、提供部４４においてライセンス中継・管理装置６に関連付けられた特番（ライセンス中継・管理装置６の電話番号）を指定して電話網２へ発呼し、ライセンス取得装置３のＩＰアドレスを送信する（ステップｓ３１）。
【００４４】
ライセンス中継・管理装置６は、制御部６４において前述したライセンス提供装置４ｂの発呼（接続要求）を受信し（ステップｓ３２）、ライセンス提供処理かライセンス取得処理かを判定、ここではＩＰアドレスを伴うため、ライセンス提供処理と判定する（ステップｓ３３）。
【００４５】
ライセンス提供処理の場合、ライセンス中継・管理装置６の制御部６４は、利用者管理部６３を用いてライセンス取得装置３ｂのＩＰアドレスから利用者情報を取得した（ステップｓ３４）後、データ管理部６２に対して音声信号を受け付けるようにし、回線を接続する（ステップｓ３５）。
【００４６】
回線接続後、ライセンス提供装置４ｂは、提供部４４においてライセンス情報を電話網２を介してライセンス中継・管理装置６へ送信し（ステップｓ３６）、ライセンス中継・管理装置６は、制御部６４においてこれを受信し（ステップｓ３７）、データ管理部６２を用いて音声信号によるライセンス情報を前記利用者情報に対応させてライセンス蓄積部６１に蓄積させる（ステップｓ３８）。
【００４７】
一方、ライセンス取得装置３ｂは、ライセンス情報を取得しようとする場合、取得部３６においてライセンス中継・管理装置６に関連付けられた特番（ライセンス中継・管理装置６の電話番号）を指定して電話網２へ、自身の電話番号（発信者番号）とともに発呼する（ステップｓ４１）。
【００４８】
ライセンス中継・管理装置６は、制御部６４において前述したライセンス取得装置３ｂの発呼（接続要求）を受信し（ステップｓ４２）、ライセンス提供処理かライセンス取得処理かを判定、ここではＩＰアドレスを伴わないため、ライセンス取得処理と判定する（ステップｓ４３）。
【００４９】
ライセンス取得処理の場合、ライセンス中継・管理装置６の制御部６４は、利用者管理部６３を用いて発信者番号から利用者情報を取得した（ステップｓ４４）後、データ管理部６２を用いて当該利用者情報に対応してライセンス蓄積部６１に蓄積されたライセンス情報の音声信号を提供可能とし、回線を接続する（ステップｓ４５）。
【００５０】
回線接続後、ライセンス中継・管理装置６は、制御部６４においてライセンス情報を電話網２を介してライセンス取得装置３ｂへ送信し（ステップｓ４６）、ライセンス取得装置３ｂは、取得部３６においてこれを受信し（ステップｓ４７）、ライセンス記憶部３４に記憶する（ステップｓ４８）。
【００５１】
その後、ライセンス取得装置３ｂは、ライセンス利用部３５においてライセンス記憶部３４に記憶されたライセンス情報を用いたコンテンツの利用やサービスの享受を行う。
【００５２】
なお、第１の実施例の場合と同様、本実施例においても、ライセンス中継・管理装置（例えばその制御部）６において、ライセンス情報中にライセンス取得装置３ｂの電話番号を埋め込み、あるいはライセンス情報中に含まれるライセンス提供装置４ｂの電話番号をライセンス取得装置３ｂの電話番号に書き替えるようになしても良く、また、その場合は、ライセンス取得装置３ｂのライセンス利用部３５においてライセンス情報中の電話番号と当該ライセンス取得装置の電話番号とを比較し、一致した時のみコンテンツの利用やサービスの享受を行うようにしても良い。
【００５３】
なお、第１及び第２の実施例において、コンテンツデータを再生する際にライセンス情報とコンテンツデータを結合する必要がある場合は、ライセンス取得装置のライセンス利用部において結合を行い、ライセンス取得装置に接続されたコンテンツ再生装置で再生するようにしても良い。
【００５４】
また、第１及び第２の実施例において、要求文の送信に利用されるネットワークはＩＰ網に限定されない。所定の識別子（ＩＰ網の場合はＩＰアドレス）を基に通信相手を特定し、コネクションを確立し、情報を伝達できるネットワークであれば良い。また、電話網（公衆電話網）は固定網だけでなく、携帯電話、ＰＨＳなどの無線通信網を含むものであっても良い。
【００５５】
なお、本発明は、周知のコンピュータに媒体もしくは通信回線を介して、図１及び図２の構成図、あるいは図５及び図６の構成図に示された機能を実現するプログラムをインストールすることによっても実現可能である。
【図面の簡単な説明】
【００５６】
【図１】本発明のライセンス流通装置の第１の実施例を示す構成図
【図２】第１の実施例におけるライセンス中継・管理装置の詳細構成図
【図３】ＩＰアドレス・電話番号対応表の一例を示す説明図
【図４】第１の実施例における動作のフローチャート
【図５】本発明のライセンス流通装置の第２の実施例を示す構成図
【図６】第２の実施例におけるライセンス中継・管理装置の詳細構成図
【図７】第２の実施例における動作のフローチャート
【図８】第２の実施例における動作のフローチャート
【符号の説明】
【００５７】
１：ＩＰ網、２：電話網、３，３ｂ：ライセンス取得装置、３１：要求文生成部、３２：送信部、３３：受信部、３４：ライセンス記憶部、３５：ライセンス利用部、３６：取得部、４，４ｂ：ライセンス提供装置、４１：受信部、４２：ライセンス生成部、４３：送信部、４４：提供部、５，６：ライセンス中継・管理装置、５１：受信部、５２：ＩＰアドレス・電話番号対応表蓄積部、５３：ＩＰアドレス・電話番号変換部、５４：送信部、５５：ＩＰアドレス収集部、５６：ライセンス情報修正部、６１：ライセンス情報蓄積部、６２：データ管理部、６３：利用者管理部、６４：制御部。
【図１】
2005182489.tif 000003
【図２】
2005182489.tif 000004
【図３】
2005182489.tif 000005
【図４】
2005182489.tif 000006
【図５】
2005182489.tif 000007
【図６】
2005182489.tif 000008
【図７】
2005182489.tif 000009
【図８】
2005182489.tif 000010